(57)【特許請求の範囲】
【請求項１】
複数の表示部を有する火災表示機と接続されている火災受信機であって、第ｎ感知器回線に設置されている第ｎ火災受信回路が火災を検出したときに、上記火災表示機中における第ｎ回線に対応する第ｎ表示部に、上記第ｎ火災受信回路の状態を表示させるか、または、第ｎ端末機器回線に設置されている第ｎ端末機器が作動したときに、上記第ｎ表示部に、上記第ｎ端末機器の作動状態を表示させる火災表示機の制御装置において、
上記第ｎ表示部に上記第ｎ火災受信回路の状態を表示させる火災表示モード、または、上記第ｎ表示部に上記第ｎ端末機器の作動状態を出力する端末機器表示モードのうちのいずれのモードに、上記第ｎ表示部を設定したかを記憶するモード記憶手段と；
上記第ｎ表示部が、上記火災表示モード、または、上記端末機器表示モードのうちのいずれのモードに設定されているかを、上記モード記憶手段から読み取るモード読み取り手段と；
上記第ｎ火災受信回路が火災を検出したときに、上記第ｎ火災受信回路が設置されている感知器回線の番号を検出する火災回線番号検出手段と；
上記第ｎ端末機器が作動したときに、上記第ｎ端末機器が設置されている端末機器回線の番号を検出する端末機器作動回線番号検出手段と；
上記複数の表示部に対応して、上記複数の表示部にそれぞれ接続されている複数回線分の表示機出力回路を有し、上記第ｎ火災受信回路が火災を検出したときに、上記火災回線番号検出手段が検出した感知器回線番号に対応する上記第ｎ表示部が上記火災表示モードに設定されていることを読み取れば、上記第ｎ表示部に上記第ｎ火災受信回路の状態表示信号を第ｎ表示機出力回路によってリレー出力し、一方、上記第ｎ端末機器が作動したときに、上記端末機器作動回線番号検出手段が検出した端末機器回線番号に対応する上記第ｎ表示部が上記端末機器表示モードに設定されていることを読み取れば、上記第ｎ表示部に上記第ｎ端末機器の作動状態表示信号を第ｎ表示機出力回路によってリレー出力する信号出力手段と；
を有することを特徴とする火災表示機の制御装置。
【請求項２】
複数の表示部を有する火災表示機と接続されている火災受信機であって、上記複数の表示部に対応して、上記複数の表示部にそれぞれ接続されている複数の回線分の表示機出力回路を設けるとともに、第ｎ感知器回線に設置されている第ｎ火災受信回路が火災を検出したときに、上記火災表示機中における第ｎ回線に対応する第ｎ表示部に、上記第ｎ火災受信回路の状態を表示させるか、または、第ｎ端末機器回線に設置されている第ｎ端末機器が作動したときに、上記第ｎ表示部に、上記第ｎ端末機器の作動状態を表示させる火災表示機の制御方法において、
上記第ｎ表示部に上記第ｎ火災受信回路の状態を表示させる火災表示モード、または、上記第ｎ表示部に上記第ｎ端末機器の作動状態を出力する端末機器表示モードのうちのいずれのモードに、上記第ｎ表示部を設定したかを記憶するモード記憶段階と；
上記第ｎ表示部が、上記火災表示モード、または、上記端末機器表示モードのうちのいずれのモードに設定されているかを、上記モード記憶段階から読み取るモード読み取り段階と；
上記第ｎ火災受信回路が火災を検出したときに、上記第ｎ火災受信回路が設置されている感知器回線の番号を検出する火災回線番号検出段階と；
上記第ｎ端末機器が作動したときに、上記第ｎ端末機器が設置されている端末機器回線の番号を検出する端末機器作動回線番号検出段階と；
上記第ｎ火災受信回路が火災を検出したときに、上記火災回線番号検出段階が検出した感知器回線番号に対応する上記第ｎ表示部が上記火災表示モードに設定されていることを読み取れば、上記第ｎ表示部に上記第ｎ火災受信回路の状態表示信号を第ｎ表示機出力回路によってリレー出力し、一方、上記第ｎ端末機器が作動したときに、上記端末機器作動回線番号検出段階が検出した端末機器回線番号に対応する上記第ｎ表示部が上記端末機器表示モードに設定されていることを読み取れば、上記第ｎ表示部に上記第ｎ端末機器の作動状態表示信号を第ｎ表示機出力回路によってリレー出力する信号出力段階と；
を有することを特徴とする火災表示機の制御方法。
【請求項３】
複数の表示部を有する火災表示機と接続されるとともに、上記複数の表示部に対応して該複数の表示部にそれぞれ接続されている複数の回線分の表示機出力回路が設けられている火災受信機におけるコンピュータ読み取り可能な記録媒体であって、第ｎ感知器回線に設置されている第ｎ火災受信回路が火災を検出したときに、上記火災表示機における第ｎ回線に対応する第ｎ表示部に、上記第ｎ火災受信回路の状態を表示させるか、または、第ｎ端末機器回線に設置されている第ｎ端末機器が作動したときに、上記第ｎ表示部に、上記第ｎ端末機器の作動状態を表示させるプログラムが記録されているコンピュータ読み取り可能な記録媒体において、
上記第ｎ表示部に上記第ｎ火災受信回路の状態を表示させる火災表示モード、または、上記第ｎ表示部に上記第ｎ端末機器の作動状態を出力する端末機器表示モードのうちのいずれのモードに、上記第ｎ表示部を設定したかを記憶するモード記憶手段と；
上記第ｎ表示部が、上記火災表示モード、または、上記端末機器表示モードのうちのいずれのモードに設定されているかを、上記モード記憶手段から読み取るモード読み取り手段と；
上記第ｎ火災受信回路が火災を検出したときに、上記第ｎ火災受信回路が設置されている感知器回線の番号を検出する火災回線番号検出手段と；
上記第ｎ端末機器が作動したときに、上記第ｎ端末機器が設置されている端末機器回線の番号を検出する端末機器作動回線番号検出手段と；
上記第ｎ火災受信回路が火災を検出したときに、上記火災回線番号検出手段が検出した感知器回線番号に対応する上記第ｎ表示部が上記火災表示モードに設定されていることを読み取れば、上記第ｎ表示部に上記第ｎ火災受信回路の状態表示信号を第ｎ表示機出力回路によってリレー出力し、一方、上記第ｎ端末機器が作動したときに、上記端末機器作動回線番号検出手段が検出した端末機器回線番号に対応する上記第ｎ表示部が上記端末機器表示モードに設定されていることを読み取れば、上記第ｎ表示部に上記第ｎ端末機器の作動状態表示信号を第ｎ表示機出力回路によってリレー出力する信号出力手段と；
としてコンピュータを機能させるプログラムが記録されているコンピュータ読み取り可能な記録媒体。
【発明の詳細な説明】
【０００１】
【発明の属する技術分野】
本発明は、火災表示機の制御方法およびその装置に関する。
【０００２】
【従来の技術】
従来、火災受信機とは別に、火災表示機が設けられ、この火災表示機は複数個の表示部を有し、上記火災受信機が複数個の表示部を個々に制御している。また、火災表示、または、端末機器が作動している状態の表示が、火災表示機の各表示部で行われる。具体的には、火災表示機の各表示部を制御する場合、３種類の表示態様があり、火災表示機の全ての表示部に、火災出力のみを表示する場合と、火災表示機の全ての表示部に、端末機器が作動している状態のみを表示する場合と、火災出力の表示または端末機器が作動している状態の表示を回線毎に予め選択し、この選択に応じた表示を実行する場合との３つ態様がある。
【０００３】
図３は、従来の火災受信機ＲＥを示すブロック図である。
【０００４】
従来の火災受信機ＲＥは、火災出力の表示または端末機器が作動している状態の表示を回線毎に予め選択し、この選択に応じた表示を実行するものである。
【０００５】
そして、火災受信機ＲＥに接続するための感知器回線Ｌ１〜Ｌｎおよび端末機器回線ＤＡ１〜ＤＡｎが設けられ、感知器回線Ｌ１〜Ｌｎのそれぞれに対応して、火災感知器ＳＥ１〜ＳＥｎが設けられ、端末機器回線ＤＡ１〜ＤＡｎのそれぞれに対応して、端末機器Ｔ１〜Ｔｎが設けられている。
【０００６】
また、感知器回線Ｌ１〜Ｌｎのそれぞれは、火災受信機ＲＥ内の火災受信回路ＲＦ１〜ＲＦｎのそれぞれに接続され、端末機器回線ＤＡ１〜ＤＡｎのそれぞれは、火災受信機ＲＥ内の端末機器受信回路ＲＴ１〜ＲＴｎのそれぞれに接続されている。
【０００７】
また、ＭＣＵ１０には、火災受信回路ＲＦ１〜ＲＦｎと、端末機器受信回路ＲＴ１〜ＲＴｎと、感知器用出力回路ＯＳ１〜ＯＳｎと端末機器用出力回路ＯＴ１〜ＯＴｎとが接続され、感知器用出力回路ＯＳ１〜ＯＳｎ、端末機器用出力回路ＯＴ１〜ＯＴｎはリレー等で構成されている。感知器用出力回路ＯＳ１〜ＯＳｎは、火災感知器ＳＥ１〜ＳＥｎが火災を検出したときに、その火災を検出した火災感知器に対応する感知器用出力回路が出力するものである。端末機器用出力回路ＯＴ１〜ＯＴｎは、端末機器Ｔ１〜Ｔｎが作動したときに、その作動した端末機器に対応する端末機器用出力回路が出力するものである。
【０００８】
つまり、火災感知器ＳＥ１〜ＳＥｎのそれぞれは、感知器用出力回路ＯＳ１〜ＯＳｎに１対１で対応され、端末機器Ｔ１〜Ｔｎのそれぞれは、端末機器用出力回路ＯＴ１〜ＯＴｎに１対１で対応されている。
【０００９】
表示機Ｉは、ｎ個の表示部Ｉ１〜Ｉｎを有し、表示部Ｉ１〜Ｉｎのそれぞれの入力端子は、表示機Ｉの設置時に、対応の感知器用出力回路または端末機器用出力回路のいずれかに配線を介して接続される。
【００１０】
そして、ＭＣＵ１０は、火災受信回路ＲＦ１〜ＲＦｎから火災信号を受信すると、火災受信回路ＲＦ１〜ＲＦｎのうちで火災信号を送信した火災受信回路に対応する感知器用出力回路（感知器用出力回路ＯＳ１〜ＯＳｎのうちの１つ）に出力信号を発生させる。この出力信号が発生した感知器用出力回路が表示機Ｉの対応する表示部（表示部Ｉ１〜Ｉｎのうちの１つの表示部）に接続されていればこの表示部が点灯する。また、ＭＣＵ１０は、端末機器受信回路ＲＴ１〜ＲＴｎから端末機器が作動した旨を示す信号を受信すると、端末機器受信回路ＲＴ１〜ＲＴｎのうちで端末機器が作動した旨を示す信号を送信した端末機器受信回路に対応する端末機器用出力回路（端末機器用出力回路ＯＴ１〜ＯＴｎのうちの１つ）に出力信号を発生させる。この出力信号が発生した端末機器用出力回路が表示機Ｉの対応する表示部（表示部Ｉ１〜Ｉｎのうちの１つの表示部）に接続されていればこの表示部が点灯する。
【００１１】
したがって、火災受信機ＲＥは、火災感知器が火災を検出した場合でも、端末機器が作動した場合でも、表示機Ｉにおける表示を、予め接続された状態に応じて、確実に実行することができる。
【００１２】
【発明が解決しようとする課題】
しかし、上記従来例において、火災出力の表示または端末機器が作動している状態の表示を予め回線毎に選択し、この選択に応じた表示を表示機が実行する場合、感知器用出力回路と端末機器用出力回路とをそれぞれ、感知器回線と端末機器回線との数と同じ数だけ用意する必要があるので、出力回路の構成が複雑であり、また、それら出力回路を設けるためのコストが高いという問題がある。
【００１３】
本発明は、火災出力の表示、端末機器が作動している状態の表示のうちの一方の表示を回線毎に予め選択し、この選択に応じた表示を表示機が実行する場合、表示機用出力回路の構成を簡素にすることができ、その表示機用出力回路のコストを下げることができる火災表示機の制御方法およびその装置を提供することを目的とするものである。
【００１４】
【課題を解決するための手段】
本発明は、複数の表示部を有する火災表示機と接続されている火災受信機であって、第ｎ感知器回線に設置されている第ｎ火災受信回路が火災を検出したときに、上記火災表示機中における第ｎ回線に対応する第ｎ表示部に、上記第ｎ火災受信回路の状態を表示させるか、または、第ｎ端末機器回線に設置されている第ｎ端末機器が作動したときに、上記第ｎ表示部に、上記第ｎ端末機器の作動状態を表示させる火災表示機の制御装置において、上記第ｎ表示部に上記第ｎ火災受信回路の状態を表示させる火災表示モード、または、上記第ｎ表示部に上記第ｎ端末機器の作動状態を出力する端末機器表示モードのうちのいずれのモードに、上記第ｎ表示部を設定したかを記憶するモード記憶手段と、上記第ｎ表示部が、上記火災表示モード、または、上記端末機器表示モードのうちのいずれのモードに設定されているかを、上記モード記憶手段から読み取るモード読み取り手段と、上記第ｎ火災受信回路が火災を検出したときに、上記第ｎ火災受信回路が設置されている感知器回線の番号を検出する火災回線番号検出手段と、上記第ｎ端末機器が作動したときに、上記第ｎ端末機器が設置されている端末機器回線の番号を検出する端末機器作動回線番号検出手段と、上記複数の表示部に対応して、上記複数の表示部にそれぞれ接続されている複数回線分の表示機出力回路を有し、上記第ｎ火災受信回路が火災を検出したときに、上記火災回線番号検出手段が検出した感知器回線番号に対応する上記第ｎ表示部が上記火災表示モードに設定されていることを読み取れば、上記第ｎ表示部に上記第ｎ火災受信回路の状態表示信号を第ｎ表示機出力回路によってリレー出力し、一方、上記第ｎ端末機器が作動したときに、上記端末機器作動回線番号検出手段が検出した端末機器回線番号に対応する上記第ｎ表示部が上記端末機器表示モードに設定されていることを読み取れば、上記第ｎ表示部に上記第ｎ端末機器の作動状態表示信号を第ｎ表示機出力回路によってリレー出力する信号出力手段とを有する火災表示機の制御装置である。
【００１５】
【発明の実施の形態および実施例】
図１は、本発明の一実施例である火災受信機ＲＥ１のブロック図である。
【００１６】
火災受信機ＲＥ１は、火災受信回路ＲＦ１〜ＲＦｎと、端末機器受信回路ＲＴ１〜ＲＴｎと、ＭＰＵ１１と、ＲＯＭ２１と、ＲＡＭ２２と、表示機出力回路Ｏ１〜Ｏｎとを有する。
【００１７】
火災受信機ＲＥ１は、火災出力の表示、端末機器が作動している状態の表示のうちの一方の表示を回線毎に予め選択し、この選択状態をＲＡＭ２２に記憶し、上記選択に応じて、表示機出力回路Ｏ１〜Ｏｎのうち該当する表示機出力回路を動作させるものである。これによって、表示機用出力回路の構成を簡素にすることができ、その表示機用出力回路のコストを下げることができる。
【００１８】
また、火災受信機ＲＥ１に接続するための感知器回線Ｌ１〜Ｌｎおよび端末機器回線ＤＡ１〜ＤＡｎが設けられ、感知器回線Ｌ１〜Ｌｎのそれぞれに対応して、火災感知器ＳＥ１〜ＳＥｎが設けられ、端末機器回線ＤＡ１〜ＤＡｎのそれぞれに対応して、端末機器Ｔ１〜Ｔｎが設けられている。
【００１９】
なお、感知器回線Ｌ１〜Ｌｎは、火災受信機ＲＥ内のそれぞれ対応する火災受信回路ＲＦ１〜ＲＦｎに接続され、端末機器回線ＤＡ１〜ＤＡｎは、火災受信機ＲＥ内のそれぞれ対応する端末機器受信回路ＲＴ１〜ＲＴｎに接続され、火災受信回路ＲＦ１〜ＲＦｎと端末機器受信回路ＲＴ１〜ＲＴｎとは、ＭＣＵ１１の入力ポートに接続されている。
【００２０】
表示機出力回路Ｏ１〜Ｏｎは、ＭＣＵ１１の出力ポートに接続され、リレー等で構成されている。
【００２１】
ＲＯＭ２１は、図２に示すフローチャートに対応するプログラムを格納するものである。ＲＡＭ２２は、回線Ｌ１〜Ｌｎのうちの回線毎に、火災出力の表示を行うか、端末機器が作動している状態の表示を行うかを示すセット状態を記憶するものである。
【００２２】
表示機Ｉは、ｎ個の表示部Ｉ１〜Ｉｎを有し、表示部Ｉ１〜Ｉｎのそれぞれの入力端子は、表示機出力回路Ｏ１〜Ｏｎの出力端子に接続される。
【００２３】
表示機出力回路Ｏ１〜Ｏｎは、ＲＡＭ２２に記憶されている内容に従って、それぞれ感知器回線Ｌ１〜Ｌｎまたは端末機器回線ＤＡ１〜ＤＡｎのいずれか一方に１対１で対応されている。つまり、火災が検出された感知器回線の回線番号ｎまたは動作した端末機器回線の回線番号ｎがわかれば、この回線番号ｎと同じ回線番号の表示機回路に対応するＲＡＭ２２に記憶されている内容がわかり、たとえば、表示機出力回路ＯｎにおけるＲＡＭ２２の設定が火災感知器ＳＥｎの出力による表示であれば、その火災感知器ＳＥｎが火災を検出したときに、上記表示機出力回路Ｏｎが動作して表示機Ｉの表示部Ｉｎで表示し、また、表示機出力回路ＯｎにおけるＲＡＭ２２の設定が端末機器Ｔｎの作動による表示であれば、その端末機器Ｔｎが作動したときに、上記表示機出力回路Ｏｎが動作して表示機Ｉの表示部Ｉｎで表示するようになっている。
【００２４】
次に、上記実施例の動作について説明する。
【００２５】
図２は、火災受信機ＲＥ１におけるＭＣＵ１１の動作を示すフローチャートである。
【００２６】
まず、火災が検出されたか否かを判断し（Ｓ１）、火災が検出されたならば、その火災が検出された感知器回線の回線番号を読み込む（Ｓ２）。つまり、火災が検出されたことは、火災受信回路ＲＦ１〜ＲＦｎのうちのいずれかが出力すれば、火災が検出されたと判断でき、火災受信回路ＲＦ１〜ＲＦｎのうちのどれが出力したかを調べれば、火災が検出された感知器回線の回線番号を認識することができる。そして、このようにして読み込まれた（認識された）回線番号に対応する記憶内容をＲＡＭ２２から読み出す（Ｓ３）。
【００２７】
ＲＡＭ２２から読み出された記憶内容が、火災時に出力する旨を定めた内容であれば（Ｓ４）、火災検出された感知器回線に対応する表示機出力回路が出力する（Ｓ５）。たとえば、火災感知器ＳＥ１が火災を検出し、一方、火災感知器ＳＥ１に対応する感知器回線Ｌ１の回線番号に対応する内容として、火災時に出力する旨が、ＲＡＭ２２に記憶されていれば、感知器回線Ｌ１に対応する表示機出力回路Ｏ１に出力させる。
【００２８】
読み込まれた（認識された）回線番号に対応する記憶内容をＲＡＭ２２から読み出した（Ｓ３）結果、ＲＡＭ２２から読み出された記憶内容が、端末作動時に出力する旨を定めた内容であれば（Ｓ４）、感知器回線Ｌ１に対応する表示機出力回路Ｏ３は出力しない。たとえば、火災感知器ＳＥ２が火災を検出し、一方、火災感知器ＳＥ２に対応する感知器回線Ｌ２の回線番号に対応する内容として、端末機器作動時に出力する旨が、ＲＡＭ２２に記憶されていれば、感知器回線Ｌ２に対応する表示機出力回路Ｏ２には出力する指令を出さない。
【００２９】
火災が検出されなければ（Ｓ１）、端末機器が作動したか否かが判断され（Ｓ１１）、端末機器作動が検出されたならば、その端末機器作動が検出された端末機器回線の回線番号を読み込む（Ｓ１２）。つまり、端末機器作動が検出されたことは、端末機器受信回路ＲＴ１〜ＲＴｎのうちのいずれかが出力すれば、端末機器作動が検出されたと判断でき、端末機器受信回路ＲＴ１〜ＲＴｎのうちのどれが出力したかを調べれば、端末機器作動が検出された端末機器回線の回線番号を認識することができる。そして、このようにして読み込まれた（認識された）回線番号に対応する記憶内容をＲＡＭ２２から読み出す（Ｓ１３）。
【００３０】
ＲＡＭ２２から読み出された記憶内容が、端末機器作動時に出力する旨を定めた内容であれば（Ｓ１５）、端末機器が作動された端末機器回線に対応する表示機出力回路が出力する。たとえば、端末機器受信回路ＲＴ３が端末機器作動を検出し、一方、端末機器受信回路ＲＴ３に対応する端末機器回線ＤＡ３の回線番号に対応する内容として、火災時に出力する旨が、ＲＡＭ２２に記憶されていれば、端末機器回線ＤＡ３に対応する表示機出力回路Ｏ３に出力する指令が出る。
【００３１】
ＲＡＭ２２から読み出された記憶内容が、火災検出時に出力する旨を定めた内容であれば（Ｓ１４）、端末機器回線ＤＡ３に対応する表示機出力回路Ｏ３は出力しない。たとえば、端末機器Ｔ４が作動し、一方、端末機器Ｔ４に対応する端末機器回線ＤＡ４の回線番号に対応する内容として、火災時に出力する旨が、ＲＡＭ２２に記憶されていれば、端末機器回線ＤＡ４に対応する表示機出力回路Ｏ１には出力する指令が出ない。
【００３２】
次に、上記実施例において、表示機出力回路Ｏ１〜Ｏｎのそれぞれについて、火災検出時に出力するモードに設定するか、端末機器作動時に出力するモードに設定するかを選択し、ＲＡＭに記憶する動作について説明する。
【００３３】
まず、火災受信機ＲＥ１において図示しない「表示機移報出力」スイッチを押し、これによって、図示しない火災地区灯が点滅表示される。ここで、火災受信機ＲＥ１において図示しない「→」スイッチ、または、「←」スイッチを押すことによって、点滅表示する火災地区灯をこれから設定しようとする火災地区灯へ移動させることによって、これから設定しようとする回線を選択し、所望の回線が選択された後に、火災受信機ＲＥ１において図示しない「設定」スイッチを押せば、その火災地区灯が点灯表示に変わるとともに、その回線が、火災検出時に出力するモードに設定される。なお、所望の回線が選択された後に、「解除」スイッチを押すと、上記選択された回線が、端末機器作動時に出力するモードに設定される。
【００３４】
また、「設定」スイッチを押したときに、端末機器作動時に出力するモードに設定され、「解除」スイッチを押したときに火災検出時に出力するモードに設定されるようにしてもよい。
【００３５】
上記の操作を、回線分だけ繰り返して実行することによって、設定に必要な回線の全てについて、火災検出時に出力するモードに設定するか端末機器作動時に出力するモードに設定するかを選択する。このようにして、設定に必要な回線の全てについて上記モードを選択した後に、火災受信機ＲＥ１において図示しない「書込」スイッチを押すと、上記設定したモードがＲＡＭ２２にセーブされる。そして、上記設定内容が火災地区灯に表示され、すなわち、火災地区灯が点灯している回線は、火災検出時に出力するモードに設定され、消灯している回線は、端末機器作動時に出力するモードにそれぞれ設定されている。最後に、上記「表示機移報出力」スイッチを押すと、上記モード選択操作が終了される。
【００３６】
なお、上記実施例は、第ｎ感知器回線に設置されている第ｎ火災受信回路が火災を検出したときに、所定の火災表示機中における第ｎ回線に対応する第ｎ表示部に、上記第ｎ火災受信回路の状態を表示させるか、または、第ｎ端末機器回線に設置されている第ｎ端末機器が作動したときに、上記第ｎ表示部に、上記第ｎ端末機器の作動状態を表示させる火災表示機の制御装置の例である。
【００３７】
また、ＲＡＭ２２は、上記第ｎ表示部に上記第ｎ火災受信回路の状態を表示させる火災表示モード、または、上記第ｎ表示部に上記第ｎ端末機器の作動状態を出力する端末機器表示モードのうちのいずれのモードに、上記第ｎ表示部を設定したかを記憶するモード記憶手段の例である。
【００３８】
さらに、ＭＣＵ１１とＲＯＭ２１とは、上記第ｎ表示部が、上記火災表示モード、または、上記端末機器表示モードのうちのいずれのモードに設定されているかを、上記モード記憶手段から読み取るモード読み取り手段の例であり、上記第ｎ火災受信回路が火災を検出したときに、上記第ｎ火災受信回路が設置されている感知器回線の回線番号を検出する火災回線番号検出手段の例であり、上記第ｎ端末機器が作動したときに、上記第ｎ端末機器が設置されている端末機器回線の回線番号を検出する端末機器作動回線番号検出手段の例である。
【００３９】
表示機出力回路Ｏ１〜Ｏｎは、上記第ｎ火災受信回路が火災を検出したときに、上記火災回線番号検出手段が検出した感知器回線の回線番号に対応する上記第ｎ表示部が上記火災表示モードに設定されていることを読み取れば、上記第ｎ表示部に上記第ｎ火災受信回路の状態表示信号を出力し、一方、上記第ｎ端末機器が作動したときに、上記端末機器作動回線番号検出手段が検出した端末機器回線の回線番号に対応する上記第ｎ表示部が上記端末機器表示モードに設定されていることを読み取れば、上記第ｎ表示部に上記第ｎ端末機器の作動状態表示信号を出力する信号出力手段の例である。
【００４０】
また、上記実施例を方法の発明として把握することができ、この場合、上記実施例は、第ｎ感知器回線に設置されている第ｎ火災受信回路が火災を検出したときに、所定の火災表示機中における第ｎ回線に対応する第ｎ表示部に、上記第ｎ火災受信回路の状態を表示させるか、または、第ｎ端末機器回線に設置されている第ｎ端末機器が作動したときに、上記第ｎ表示部に、上記第ｎ端末機器の作動状態を表示させる火災表示機の制御方法において、上記第ｎ表示部に上記第ｎ火災受信回路の状態を表示させる火災表示モード、または、上記第ｎ表示部に上記第ｎ端末機器の作動状態を出力する端末機器表示モードのうちのいずれのモードに、上記第ｎ表示部を設定したかを記憶するモード記憶段階と、上記第ｎ表示部が、上記火災表示モード、または、上記端末機器表示モードのうちのいずれのモードに設定されているかを、上記モード記憶段階から読み取るモード読み取り段階と、
上記第ｎ火災受信回路が火災を検出したときに、上記第ｎ火災受信回路が設置されている感知器回線の回線番号を検出する火災回線番号検出段階と、上記第ｎ端末機器が作動したときに、上記第ｎ端末機器が設置されている端末機器回線の回線番号を検出する端末機器作動回線番号検出段階と、上記第ｎ火災受信回路が火災を検出したときに、上記火災回線番号検出段階が検出した感知器回線の回線番号に対応する上記第ｎ表示部が上記火災表示モードに設定されていることを読み取れば、上記第ｎ表示部に上記第ｎ火災受信回路の状態表示信号を出力し、一方、上記第ｎ端末機器が作動したときに、上記端末機器作動回線番号検出段階が検出した端末機器回線の回線番号に対応する上記第ｎ表示部が上記端末機器表示モードに設定されていることを読み取れば、上記第ｎ表示部に上記第ｎ端末機器の作動状態表示信号を出力する信号出力段階とを有する火災表示機の制御方法である。
【００４１】
さらに、上記実施例を媒体発明として把握することができ、この場合、上記実施例は、第ｎ感知器回線に設置されている第ｎ火災受信回路が火災を検出したときに、所定の表示機における第ｎ回線に対応する第ｎ表示部に、上記第ｎ火災受信回路の状態を表示させるか、または、第ｎ端末機器回線に設置されている第ｎ端末機器が作動したときに、上記第ｎ表示部に、上記第ｎ端末機器の作動状態を表示させるプログラムが記録されているコンピュータ読み取り可能な記録媒体において、上記第ｎ表示部に上記第ｎ火災受信回路の状態を表示させる火災表示モード、または、上記第ｎ表示部に上記第ｎ端末機器の作動状態を出力する端末機器表示モードのうちのいずれのモードに、上記第ｎ表示部を設定したかを記憶するモード記憶手段と、上記第ｎ表示部が、上記火災表示モード、または、上記端末機器表示モードのうちのいずれのモードに設定されているかを、上記モード記憶手段から読み取るモード読み取り手段と、上記第ｎ火災受信回路が火災を検出したときに、上記第ｎ火災受信回路が設置されている感知器回線の回線番号を検出する火災回線番号検出手段と、上記第ｎ端末機器が作動したときに、上記第ｎ端末機器が設置されている端末機器回線の回線番号を検出する端末機器作動回線番号検出手段と、上記第ｎ火災受信回路が火災を検出したときに、上記火災回線番号検出手段が検出した感知器回線の回線番号に対応する上記第ｎ表示部が上記火災表示モードに設定されていることを読み取れば、上記第ｎ表示部に上記第ｎ火災受信回路の状態表示信号を出力し、一方、上記第ｎ端末機器が作動したときに、上記端末機器作動回線番号検出手段が検出した端末機器回線の回線番号に対応する上記第ｎ表示部が上記端末機器表示モードに設定されていることを読み取れば、上記第ｎ表示部に上記第ｎ端末機器の作動状態表示信号を出力する信号出力手段としてコンピュータを機能させるプログラムが記録されているコンピュータ読み取り可能な記録媒体である。
【００４２】
なお、上記実施例では、感知器回線Ｌ１〜Ｌｎに接続する火災感知器を１台としてあるが、火災感知器を複数台接続するようにしてもよく、火災感知器の代わりに発信機を接続するようにしてもよい。同様に、端末機器回線ＤＡ１〜ＤＡｎに接続する端末機器を１台としたが、端末機器を複数台接続するようにしてもよい。
【００４３】
また、ＲＡＭ２２の代わりに、ＥＥＰＲＯＭ等の不揮発性のメモリを使用するようにしてもよい。
【００４４】
【発明の効果】
本発明によれば、火災出力の表示、端末機器が作動している状態の表示のうちの一方の表示を回線毎に予め選択し、この選択に応じた表示を表示機が実行する場合、表示機用出力回路の構成を簡素にすることができ、その表示機用出力回路のコストを下げることができるという効果を奏する。
【図面の簡単な説明】
【図１】本発明の一実施例である火災受信機ＲＥ１のブロック図である。
【図２】火災受信機ＲＥ１におけるＭＣＵ１１の動作を示すフローチャートである。
【図３】従来の火災受信機ＲＥを示すブロック図である。
【符号の説明】
ＲＥ１…火災受信機、
１１…ＭＣＵ、
Ｏ１〜Ｏｎ…表示機出力回路、
２１…ＲＯＭ、
２２…ＲＡＭ、
ＲＦ１〜ＲＦｎ…火災受信回路、
ＲＴ１〜ＲＴｎ…端末機器受信回路、
Ｌ１〜Ｌｎ…感知器回線、
ＤＡ１〜ＤＡｎ…端末機器回線。
【図１】
0003750886.tif 000002
【図２】
0003750886.tif 000003
【図３】
0003750886.tif 000004